【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
発信点からのクエリを受信する第１のプロセッサと；
前記クエリを分析する第２のプロセッサと；
一つ以上の予め定義された条件が満たされる場合は、前記クエリをインターネットインフラストラクチャへ渡さずに、前記クエリを待ち受けページにダイレクトし、前記予め定義された条件が満たされない場合は、前記クエリをインターネットインフラストラクチャへ渡す第３のプロセッサとを備える；
インターネットアプライアンス。
【請求項２】
前記第１、第２、および第３のプロセッサが統合された一つのプロセッサを備える、
請求項１のインターネットアプライアンス。
【請求項３】
前記クエリは、キーワード、ホットワード、またはタイプミスしたＩＰアドレスを含む、
請求項１のインターネットアプライアンス。
【請求項４】
前記クエリおよび前記インターネットインフラストラクチャから受信した情報を合成する第４のプロセッサを更に備える、
請求項１のインターネットアプライアンス。
【請求項５】
前記待ち受けページを作製する第５のプロセッサを更に備える、
請求項１のインターネットアプライアンス。
【請求項６】
発信点からのクエリを受信する第１のプロセッサと；
インターネットインフラストラクチャへ前記クエリを渡す第２のプロセッサと；
前記インターネットインフラストラクチャから情報を受信する第３のプロセッサと；
前記インターネットインフラストラクチャから受信した前記情報を分析する第４のプロセッサおよび；
特定の予め定義された条件が満たされる場合は、前記クエリを第１の待ち受けページにダイレクトし、またはこれらの条件が満たされない場合は、前記インターネットインフラストラクチャからの前記情報を前記発信点に渡すか、もしくは第２の待ち受けページに前記クエリをダイレクトする第５のプロセッサとを備える；
インターネットアプライアンス。
【請求項７】
前記第１のプロセッサ乃至前記第５のプロセッサが統合された一つのプロセッサを備える、
請求項６のインターネットアプライアンス。
【請求項８】
前記クエリは、キーワード、ホットワード、またはタイプミスしたＩＰアドレスを含む、
請求項６のインターネットアプライアンス。
【請求項９】
前記クエリおよび前記インターネットインフラストラクチャから受信した情報を合成する第６のプロセッサを更に備える、
請求項６のインターネットアプライアンス。
【請求項１０】
前記第１および／または前記第２の待ち受けページを作製する第７のプロセッサを更に備える、
請求項６のインターネットアプライアンス。
【請求項１１】
発信点で生成されたクエリを受信するプロセッサと；
前記クエリを分析して、前記クエリが解決可能か、または解決不可能か、または一つ以上の予め定義されたビット文字列を含むか、を判定するプロセッサと；
前記クエリが解決可能な場合、前記クエリをインターネットインフラストラクチャに提示して、前記クエリを解決するプロセッサと；
解決不可能か、または一つ以上の予め定義されたビット文字列を含む場合、前記クエリを待ち受けページにダイレクトするプロセッサと；
前記インターネットインフラストラクチャから解決可能クエリについての情報を受信するプロセッサと；
前記インターネットインフラストラクチャから受信した前記解決可能クエリについての前記情報を分析するプロセッサと；
解決され、かつ前記インターネットインフラストラクチャから受信される前記解決可能クエリに関する前記情報を前記クエリの前記発信点へ転送するプロセッサと；
前記インターネットインフラストラクチャからの前記情報が、前記クエリは未解決であったことを指し示す場合、前記クエリを待ち受けページにダイレクトするプロセッサおよび；
解決不可能、または未解決の各クエリ、または一つ以上の予め定義されたビット文字列を含む各クエリのための待ち受けページを作製するプロセッサとを備える；
インターネットアプライアンス。
【請求項１２】
発信点で生成されたクエリを受信するための手段と；
前記クエリを分析して、前記クエリが解決可能か、または解決不可能か、または一つ以上の予め定義されたビット文字列を含むか、を判定するための手段と；
前記クエリが解決可能な場合、前記クエリをインターネットインフラストラクチャに提示して、前記クエリを解決するための手段と；
前記クエリが解決不可能か、または一つ以上の予め定義されたビット文字列を含む場合、前記クエリを待ち受けページにダイレクトするための手段と；
前記インターネットインフラストラクチャから解決可能クエリについての情報を受信するための手段と；
前記インターネットインフラストラクチャから受信した前記解決可能クエリについての前記情報を分析するための手段と；
解決され、かつ前記インターネットインフラストラクチャから受信される前記解決可能クエリに関する前記情報を前記クエリの前記発信点へ転送するための手段と；
前記インターネットインフラストラクチャからの前記情報が、前記クエリは未解決であったことを指し示す場合、前記クエリを待ち受けページにダイレクトするための手段および；
解決不可能または未解決の各クエリ、または一つ以上の予め定義されたビット文字列を含む各クエリのための待ち受けページを作製するための手段とを備える；
インターネットアプライアンス。
【請求項１３】
インターネット上でトラフィックをダイレクトする方法であって；
発信点で生成されたクエリを受信するステップと；
前記クエリを分析するステップと；
予め定義された条件が満たされる場合は、前記クエリをリダイレクト待ち受けページにダイレクトし、予め定義された条件が満たされない場合は、インターネットインフラストラクチャへ前記クエリを渡すステップとを備える；
方法。
【請求項１４】
前記クエリが特定ウェブサイトである、
請求項１３の方法。
【請求項１５】
前記リダイレクト待ち受けページが、同一クエリをリクエストする他のユーザの以前の履歴に基づいて決定される、
請求項１４の方法。
【請求項１６】
前記リダイレクト待ち受けページが、ユーザの以前の履歴に基づいて決定される、
請求項１４の方法。
【請求項１７】
逆検索ルックアップの方法であって：
特定ウェブサイトに対するクエリを入力するステップおよび；
前記ウェブサイトに関連する情報を受信するステップを備え；
前記情報は、インターネット検索において前記ウェブサイトへのアクセスを得るためにユーザが用いるキータームのリストである；
方法。
【請求項１８】
インターネット上のトラフィックをダイレクトする方法であって；
発信点で生成されたクエリを受信するステップと；
前記クエリを分析して解決可能か、または解決不可能か、または一つ以上の予め定義されたビット文字列を含むか、を判定するステップと；
前記クエリが解決可能であると判定された場合、前記クエリをインターネットインフラストラクチャに提示して、前記クエリを解決するステップと；
前記クエリが解決不可能か、または一つ以上の所定のビット文字列を含む場合、前記クエリを待ち受けページにダイレクトするステップと；
前記インターネットインフラストラクチャから解決可能クエリについての情報を受信するステップと；
前記インターネットインフラストラクチャから受信した前記解決可能クエリについての前記情報を分析するステップと；
解決され、かつ前記インターネットインフラストラクチャから受信される前記解決可能クエリに関する前記情報を前記クエリの前記発信点へ転送するステップと；
前記インターネットインフラストラクチャからの前記情報が、前記クエリは未解決であったことを指し示す場合、前記クエリを待ち受けページにダイレクトするステップおよび；
解決不可能または未解決の各クエリ、または一つ以上の予め定義されたビット文字列を含む各クエリのための待ち受けページを作製するステップとを備える；
方法。
【請求項１９】
前記待ち受けページを作製するステップは：
前記クエリに関する情報を受信するステップと；
前記クエリのコンテンツ、前記インターネットインフラストラクチャからの前記情報のコンテンツ、前記クエリの発信点、前記クエリの発信点の地理的ロケーション、前記クエリの提示時間、またはこれらの２つ以上の任意な組合せ、の情報を分析するステップと；
前記クエリのコンテンツ、前記インターネットインフラストラクチャからの前記情報のコンテンツ、前記クエリの発信点、前記クエリの発信点の地理的ロケーション、前記クエリの提示時間、またはこれらの２つ以上の任意な組合せ、についての一つ以上の既知の情報を含む情報をオプションで合成するステップと；
前記クエリについての情報を、一つ以上の参加パートナー、前記インターネットインフラストラクチャ、またはその両方に提示するステップと；
前記一つ以上の参加パートナー、前記インターネットインフラストラクチャ、またはその両方から前記クエリに関する情報を受信するステップと；
前記参加パートナー、前記インターネットインフラストラクチャ、またはその両方から受信した前記情報を合成するステップおよび；
前記参加パートナー、前記インターネットインフラストラクチャ、またはその両方から受信した前記情報に基づいて前記待ち受けページを作製するステップとを含む；
請求項１８の方法。
【請求項２０】
前記待ち受けページを作製するステップは、前記クエリに関連する情報に基づいて、各クエリに対して実行される動的な処理である、
請求項１８の方法。
【請求項２１】
コンピュータを用いてビジネスを行う方法であって：
解決不可能または未解決である各クエリを、前記クエリの主題、前記クエリの発信点、前記クエリの発信点の地理的ロケーション、前記クエリの提示時間、インターネットインフラストラクチャが提供する情報、またはこれらの２つ以上の任意な組合せ、に関連する情報を含む、動的に創成された待ち受けページにダイレクトするステップおよび；
前記待ち受けページに前記情報を含めるための料金を、前記関連する情報の提供者に課すステップとを備える；
方法。
【請求項２２】
前記方法が、インターネットを用いる広告ターゲット化の方法である、
請求項２１の方法。
【請求項２３】
前記方法を、インターネットアーキテクチャのＩＳＰレベルの前またはＩＳＰレベルに実装する、
請求項２２の方法。
【請求項２４】
前記クエリは、一つ以上のキーワードまたは一つ以上のホットワードを含む、
請求項２２の方法。
【請求項２５】
前記情報の提供者から料金を収集するステップを更に備える、
請求項２１の方法。
【請求項２６】
前記方法は、ＩＳＰ  ＤＮＳ運営者、または企業ＤＮＳ運営者に対する料金を発生させる、
請求項２１の方法。
【請求項２７】
前記料金の課金は、ＩＳＰまたはＤＮＳ運営者によって実施される、
請求項２１の方法。
【請求項２８】
前記クエリは、キーワードまたはホットワードである、
請求項１８の方法。
【請求項２９】
前記予め定義された条件が、予め定義されたビットを含む、
請求項１８の方法。
【請求項３０】
前記判定するステップが、１または２以上のＡＳＣＩＩ文字セットの判定を要求しない、
請求項１８の方法。
【請求項３１】
前記方法は、前記インターネットアーキテクチュアのレイヤ２に部分的または全面的に実装されている、
請求項１８の方法。
【請求項３２】
前記クエリは、電話番号であり、前記待ち受けページは、電話オペレータまたは電話勧誘販売人に接続されている、
請求項１８の方法。
【請求項３３】
前記クエリは、ＩＭスクリーン名である、
請求項１８の方法。
【請求項３４】
多数の前記待ち受けページが作製される、
請求項１８の方法。
【請求項３５】
前記待ち受けページが、前記クエリと地理的に関連する情報を含む、
請求項１８の方法。
【請求項３６】
前記判定するステップ、および、前記作製するステップが、１または２以上のプロキシホストプロセッサで指揮される、
請求項１８の方法。
【請求項３７】
更に、ＩＰアドレス、ＭＡＣアドレス、地理的ロケーション、または、それらのうちの２つ、あるいは、３つ全てを分析するステップを備える、
請求項１８の方法。
【請求項３８】
前記クエリは、前記発信点におけるコンピュータに実装したプラグインから受信される、
請求項１８の方法。
【請求項３９】
前記待ち受けページは、検索バーを含む、
請求項１８の方法。
【請求項４０】
前記方法は、前記インターネットアーキテクチュアのＩＳＰレベルに部分的または全面的に実装されている、
請求項１８の方法。
【請求項４１】
前記待ち受けページは、広告を含む、
請求項１８の方法。
【請求項４２】
インターネットユーザに検索結果を供給する方法であって、該方法は：
前記インターネットユーザからクエリを受信するステップ；
１または２以上の予め定義されたビット文字列に対するクエリを分析するステップ；
前記クエリに関連する検索結果を含む待ち受けページに対するＩＰアドレスを前記インターネットユーザに返すステップを備え；
前記検索結果は、前記インターネットユーザの以前の検索、または、収集から生成された結果に基づき生成された情報を含む、
方法。
【請求項４３】
前記クエリは未解決クエリであり、
前記検索結果は少なくとも部分的に、前記インターネットユーザの以前の未解決クエリ、または、収集に基づき供給される、
請求項４２の方法。
【請求項４４】
更に、前記インターネットユーザによって生成されたクエリのデータベースを編集するステップ、および、該データベースを参照して検索結果を展開するステップを備える、
請求項４２の方法。
【請求項４５】
前記方法は、１または２以上のレイヤ２デバイスまたはソフトウェアを使用して、非ＡＳＣＩＩ  ＤＮＳリクエストを解決する、
請求項４２の方法。
【請求項４６】
前記方法は、特定のドメイン名に特定のＩＰアドレスを動的に結合させる予測アルゴリズムを供給する、
請求項４２の方法。
【請求項４７】
前記方法は、特定のＩＰアドレスのインターネット情報を供給するエンティティによって実行され、前記方法は、前記インタネットユーザが前記ＩＰアドレスにアクセスするのに用いるクエリのデータベースを前記エンティティに供給することを可能にさせる、
請求項４２の方法。
【請求項４８】
前記方法は、特定のＩＰアドレスに対するリクエストに応答して１または２以上の検索タームをインターネットユーザが見分けることを可能にさせる、
請求項１７の方法。
【請求項４９】
前記方法は前記特定のウェブサイト以外の１つまたは２つ以上のウェブサイトを前記インターネットユーザが見分けることを可能とし、他の前記ウェブサイトは前記クエリに関連する情報を含む、
請求項１７の方法。